(57)【特許請求の範囲】
【請求項１】
加えられた外力に応じた形状に変形する柔軟性を備えた材料を用いて形成された骨組部と、
前記骨組部に支持されてシート形状をなす照明補助部と、
前記骨組部を、取り付け対象とする間接活線工具の一部に固定する固定部と、
を備えたことを特徴とする照明補助具。
【請求項２】
前記骨組部は、硬銅を焼き鈍しした軟銅によって形成された複数の棒状部材であることを特徴とする請求項１に記載の照明補助具。
【請求項３】
前記照明補助部は、少なくとも一部がメッシュ構造をなすシート状の部材であることを特徴とする請求項１または２に記載の照明補助具。
【請求項４】
前記照明補助部は、白色のシート状の部材であることを特徴とする請求項１〜３のいずれか１つに記載の照明補助具。
【請求項５】
前記固定部は、前記骨組部に対して着脱可能であることを特徴とする請求項１〜４のいずれか１つに記載の照明補助具。
【発明の詳細な説明】
【技術分野】
【０００１】
この発明は、夜間の屋外作業などに用いる照明補助具に関する。
【背景技術】
【０００２】
従来、夜間の間接活線作業に際しては、投光器、キャップランプ、懐中電灯などを用いて作業対象箇所を照明していた。具体的には、たとえば、変圧器の取り替えに際して高圧引下線を接続する作業を夜間におこなう場合、投光器、キャップランプ、懐中電灯などを用いて、接続対象とする電線の先端部分や接続に用いるスリーブの先端部分を照らしていた。また、従来、絶縁性を有しかつ遮光可能な遮光部と、遮光部をバケットに固定する長尺な支持部とを備えた日除け器具に関する技術があった（たとえば、下記特許文献１を参照。）。
【先行技術文献】
【特許文献】
【０００３】
【特許文献１】特開２０１１−１０９８４７号公報
【発明の概要】
【発明が解決しようとする課題】
【０００４】
しかしながら、上述した従来の技術は、夜間の作業においては、投光器、キャップランプ、懐中電灯などを用いて作業対象箇所を照らしても、電線の先端部分やスリーブの先端部分が視認しづらく、電線の先端部分をスリーブに挿入する作業や、スリーブにおいて圧縮する箇所を確認することが難しいという問題があった。また、このために、圧縮接続を確実におこなうことができないという問題があった。
【０００５】
また、投光器を使用する場合、電源を確保する必要上、投光器の光が作業対象箇所よりも下方から当該作業対象箇所を介して夜空を照らすような状態になり、作業対象箇所を正確に確認することが難しいという問題があった。また、投光器により作業対象箇所よりも下方から当該作業対象箇所を照らすと、投光器と作業対象箇所との間に存在する別の電線などの影が作業対象箇所に映ることがあり、作業対象箇所を正確に確認することが難しいという問題があった。
【０００６】
また、上述した特許文献１に記載された従来の技術は、高所作業車のバケット内で作業する際に用いるため、利用状況が限られるという問題があった。
【０００７】
この発明は、上述した従来技術による問題点を解消するため、周囲の明るさにかかわらず、作業対象箇所を正確に確認することができる照明補助具を提供することを目的とする。
【課題を解決するための手段】
【０００８】
上述した課題を解決し、目的を達成するため、この発明にかかる照明補助具は、加えられた外力に応じた形状に変形する柔軟性を備えた材料を用いて形成された骨組部と、前記骨組部に支持されてシート形状をなす照明補助部と、前記骨組部を、取り付け対象とする間接活線工具の一部に固定する固定部と、を備えたことを特徴とする。
【０００９】
また、この発明にかかる照明補助具は、上記の発明において、前記骨組部が、硬銅を焼き鈍しした軟銅によって形成された複数の棒状部材であることを特徴とする。
【００１０】
また、この発明にかかる照明補助具は、上記の発明において、前記照明補助部が、少なくとも一部がメッシュ構造をなすシート状の部材であることを特徴とする。
【００１１】
また、この発明にかかる照明補助具は、上記の発明において、前記照明補助部が、白色のシート状の部材であることを特徴とする。
【００１２】
また、この発明にかかる照明補助具は、上記の発明において、前記固定部が、前記骨組部に対して着脱可能であることを特徴とする。
【発明の効果】
【００１３】
この発明にかかる照明補助具によれば、周囲の明るさにかかわらず、作業対象箇所を正確に確認することができるという効果を奏する。
【図面の簡単な説明】
【００１４】
【図１】この発明にかかる実施の形態の照明補助具を示す説明図（その１）である。
【図２】この発明にかかる実施の形態の照明補助具を示す説明図（その２）である。
【図３】この発明にかかる実施の形態の照明補助具を示す説明図（その３）である。
【図４】固定部の一例を示す説明図である。
【図５】別の固定部の一例を示す説明図（その１）である。
【図６】別の固定部の一例を示す説明図（その２）である。
【図７】この発明にかかる実施の形態の照明補助具の取り付け対象となる間接活線工具の一例を示す説明図（その１）である。
【図８】この発明にかかる実施の形態の照明補助具の取り付け対象となる間接活線工具の一例を示す説明図（その２）である。
【図９】この発明にかかる実施の形態の照明補助具の取り付け対象となる間接活線工具の一例を示す説明図（その３）である。
【図１０】この発明にかかる実施の形態の照明補助具を用いた作業の一例を示す説明図（その１）である。
【図１１】この発明にかかる実施の形態の照明補助具を用いた作業の一例を示す説明図（その２）である。
【図１２】この発明にかかる実施の形態の照明補助具を用いた作業の一例を示す説明図（その３）である。
【図１３】この発明にかかる実施の形態の照明補助具の別の一例を示す説明図である。
【発明を実施するための形態】
【００１５】
以下に添付図面を参照して、この発明にかかる照明補助具の好適な実施の形態を詳細に説明する。
【００１６】
（照明補助具の構成）
まず、この発明にかかる実施の形態の照明補助具の構成について説明する。図１、図２および図３は、この発明にかかる実施の形態の照明補助具を示す説明図である。図１においては、この発明にかかる実施の形態の照明補助具を正面側から見た状態を示している。図２においては、この発明にかかる実施の形態の照明補助具を背面側から見た状態を示している。図３においては、この発明にかかる実施の形態の照明補助具を、図１における紙面左側から見た状態を示している。
【００１７】
図１、図２および図３において、この発明にかかる実施の形態の照明補助具１００は、照明補助部１１０と骨組部１２０と固定部１３０とを備えている。照明補助部１１０は、所定形状をなすシート状の部材１１１によって実現することができる。シート状の部材１１１は、ポリエチレン樹脂などの絶縁素材によって形成されている。具体的には、たとえば、縦方向の寸法が２１０ｍｍ、横方向の寸法が２９５ｍｍの長方形状をなすシート状の部材１１１によって実現することができる。シート状の部材１１１は、メッシュ（網目）構造をなすことが好ましい。シート状の部材１１１は、白色であることが好ましい。
【００１８】
照明補助部１１０は、ループ状部材１１２を備えている。ループ状部材１１２は、長方形状をなすシート状の部材１１１における２つの長辺の両端にそれぞれ設けられている。ループ状部材１１２は、シート状の部材１１１を形成する絶縁素材と同様に、ポリエチレン樹脂などの絶縁素材によって形成されている。
【００１９】
骨組部１２０は、複数（この実施の形態においては、３本）の骨組部材１２１を備えている。複数の骨組部材１２１は、それぞれ、可撓性を有する材料によって形成された棒状の部材によって実現することができる。骨組部材１２１は、加えられた外力に応じて変形する柔軟性を備え、かつ、外力から解放された場合に解放される直前の形状を維持する性質を備えた材料によって形成されている。これによって、骨組部１２０は、任意の形状に曲げ撓めることができる。
【００２０】
骨組部１２０は、具体的には、たとえば、軟銅によって形成することができる。軟銅は、硬銅を焼き鈍し（加工硬化による内部のひずみを取り除いて組織を軟化させ、展延性を向上させる熱処理）をすることによって形成される。
【００２１】
複数の骨組部材１２１のうち、２本は、シート状の部材１１１がなす長方形状における隣り合わない二頂点を結ぶ線分、すなわち、対角線に沿って配されている。これにより、２本の骨組部材１２１は、シート状の部材１１１の中央部で交差している。
【００２２】
対角線に沿って配された２本の骨組部材１２１は、それぞれ、シート状の部材１１１に設けられたポケット状の支持部２０１に、端部を挿入することによってシート状の部材１１１に取り付けられている。支持部２０１は、たとえば、シート状の部材１１１を形成する材料と同じ、ポリエチレン樹脂などの絶縁素材によって形成することができる。
【００２３】
複数の骨組部材１２１のうち、１本は、シート状の部材１１１がなす長方形状における長辺の中央部を通り、短辺に平行な方向に沿って配されている。短辺に平行な方向に沿って配された骨組部材１２１は、シート状の部材１１１の短辺の寸法よりも長い。短辺に平行な方向に沿って配された骨組部材１２１の一端は、シート状の部材１１１に設けられたポケット状の支持部２０１に挿入することによって、シート状の部材１１１に対する位置が固定されている。
【００２４】
短辺に平行な方向に沿って配された骨組部材１２１（以降「骨組部材１２１ａ」）の他端は、シート状の部材１１１の短辺よりも外方に突出している。骨組部材１２１ａは、シート状の部材１１１に設けられたベルト通し状の支持部２０１に挿入され、シート状の部材１１１に対する位置が固定されている。骨組部材１２１ａの他端には、図示を省略する雌ねじが設けられている。この雌ねじには、固定部１３０が備える雄ねじ（図４における符号４０５を参照）が螺合される。これにより、骨組部材１２１ａの他端に、固定部１３０を取り付けることができる。
【００２５】
図４は、固定部１３０の一例を示す説明図である。図４において、固定部１３０は、直線状に連なる３つの平面４０１ａ、４０１ｂ、４０１ｃを、隣り合う平面（平面４０１ａと平面４０１ｂおよび平面４０１ｂと平面４０１ｃ）どうしが直角をなすように折り曲げた、略「コ」の字形状をなす基材４０１を備えている。平面４０１ａ、４０１ｂ、４０１ｃは、たとえば、縦３０ｍｍ、横２５ｍｍ程度の大きさとすることが好ましい。基材４０１は、たとえば、金属材料を用いて形成することができる。
【００２６】
基材４０１において、直線状に連なる３つの平面４０１ａ、４０１ｂ、４０１ｃのうちの端に位置する一の平面４０１ａには、ねじ穴４０２が設けられている。このねじ穴４０２には、ボルト４０３が螺合されている。ボルト４０３は、締まる方向に回転することによって、先端が他方の平面４０１ｃに近づく。
【００２７】
ねじ穴４０２が設けられた平面４０１ａに対向する平面には、ねじ穴４０２に対向する位置に突出部４０４が設けられている。突出部４０４を設けることにより、ボルト４０３を確実に締め込むことができ、照明補助具１００の取り付け対象とする間接活線工具（たとえば、図７における符号７００を参照）に対して固定部１３０を確実に固定することができる。
【００２８】
基材４０１において、直線状に連なる３つの平面４０１ａ、４０１ｂ、４０１ｃのうちの中央の平面４０１ｂには、雄ねじ４０５が設けられている。固定部１３０は、骨組部材１２１ａに対して着脱可能に設けられている。これにより、照明補助具１００を用いておこなう間接活線作業に際しては、当該作業に用いる間接活線工具に応じて固定部１３０を取り外し、別の固定部１３０を取り付けて使用することができる。
【００２９】
図５および図６は、別の固定部の一例を示す説明図である。図５においては、別の固定部を、雄ねじ４０５の直径方向に平行に見た場合の別の固定部５０１を示している。図５において、別の固定部５０１は、略「コ」の字形状をなす基材４０１に代えて、略環形状をなす基材５０２を備えている。基材５０２は、保持部５０２ａと、開口部５０２ｂと、導入部５０２ｃと、を備えている。保持部５０２ａは、照明補助具１００の取り付け対象とする間接活線工具の外径に応じた内径の略環形状をなす。基材５０２の外周面には、雄ねじ４０５が設けられている。別の固定部５０１は、骨組部材１２１ａの他端に設けられた雌ねじに、雄ねじ４０５を螺合させることによって当該骨組部材１２１に取り付けることができる。
【００３０】
開口部５０２ｂは、保持部５０２ａがなす環形状の一部を開放する。開口部５０２ｂは、照明補助具１００の取り付け対象とする間接活線工具の外径よりも小さい幅で開口している。開口部５０２ｂは、保持部５０２ａがなす環形状の一部を常時開放するものに限らない。開口部５０２ｂは、保持部５０２ａがなす環形状を開放可能とする構成であればよい。
【００３１】
具体的には、外力が加えられていない状態においては保持部５０２ａが閉塞された環形状をなすように、長手方向の中央部分から左右対象に湾曲させた略長方形状をなす絶縁性のプラスチック製の平板の一部を当接させ、当該当接部分を開く方向への外力が加えられた場合に、照明補助具１００の取り付け対象とする間接活線工具の外径の通過が可能な幅で開口する開口部５０２ｂを形成するような構成とすることができる。
【００３２】
導入部５０２ｃは、開口部５０２ｂを介して保持部５０２ａに連続しており、開口部５０２ｂ側ほど幅が狭くなるような形状をなしている。導入部５０２ｃは、保持部５０２ａと一体に形成されている。導入部５０２ｃを設けることにより、導入部５０２ｃを間接活線工具に押しつけるだけで、別の固定部５０１を間接活線工具に取り付けることができる。別の固定部５０１において、保持部５０２ａの内周面には、滑り止め部材５０３が設けられている。
【００３３】
図６においては、雄ねじ４０５の軸心方向に平行な方向に沿って、基材５０２の内周側から別の保持部５０２ａを見た状態を示している。滑り止め部材５０３は、保持部５０２ａの内周面に複数設けられている。滑り止め部材５０３は、少なくとも保持部５０２ａの内周面であって、雄ねじ４０５の裏面側となる位置に設けられている。滑り止め部材５０３は、たとえば、ゴムなどのように、表面の摩擦抵抗が大きい材料を用いて形成することができる。これにより、間接活線工具に取り付ける場合にも、照明補助具１００の自重によって、主軸に対する照明補助具１００の位置がずれてしまうことを防止できる。
【００３４】
（照明補助具１００の使用例）
つぎに、この発明にかかる実施の形態の照明補助具１００の使用例について説明する。図７、図８および図９は、この発明にかかる実施の形態の照明補助具１００の取り付け対象となる間接活線工具の一例を示す説明図である。照明補助具１００は、たとえば、間接活線工具の１つであるヤットコに取り付けて使用する。図７においては、ヤットコの全体を示している。図８および図９においては、ヤットコの先端を示している。
【００３５】
図７、図８および図９において、ヤットコ７００は、主軸７０１と、把持部７０２と、操作部７０３とを備えている。主軸７０１は、中空の棒形状をなす。主軸７０１は、変形しにくく、絶縁性の低下が少ない（低下しない）材料を用いて形成されている。具体的には、たとえば、吸湿性の少ないエポキシ樹脂系強化プラスチック、ポリエステル樹脂系強化プラスチックなどを用いて形成することができる。主軸７０１は、長さ方向の両端に詰栓が設けられており、防水処理が施されている。主軸７０１は、表面をコーティング処理するなどして防水処理が施されていてもよい。
【００３６】
主軸７０１の中間部には、安全限界つば７０４が設けられている。安全限界つば７０４は、たとえば、軟質性の合成ゴムを用いて形成することができる。安全限界つば７０４を設けることにより、作業者が触れても安全な部分とそれ以外の部分との境界を明確に示すことができ、これにより感電事故を防止することができる。主軸７０１において、把持部７０２との境界位置から安全限界つば７０４までの長さは、所定の安全限界距離以上とされている。
【００３７】
主軸７０１において、把持部７０２との境界位置と安全限界つば７０４との間には、水きり用のつば（水きりつば）７０５が設けられている。水きりつば７０５を設けることにより、降雨時の作業に際しての感電事故を防止することができる。水きりつば７０５は、安全限界つば７０４と同様に、たとえば、軟質性の合成ゴムを用いて形成することができる。
【００３８】
把持部７０２は、主軸７０１の先端に設けられた固定具７０６を介して、主軸７０１の先端に設けられている。把持部７０２は、たとえば、アルミニウム合金を用いて形成することができる。把持部７０２は、一対のアーム７０７ａ、７０７ｂを組み合わせることによって構成されている。
【００３９】
一対のアーム７０７ａ、７０７ｂのうちの一方のアーム７０７ａは、固定具７０６により、主軸７０１に対する位置が固定されている。ヤットコ７００の主軸７０１における先端部分９０１であって、固定具７０６と主軸７０１との境界部分は、主軸７０１の一端側を覆う略キャップ形状をなす。
【００４０】
一対のアーム７０７ａ、７０７ｂのうちの他方のアーム７０７ｂは、ピン７０８ｂを介して固定具７０６に連結されている。他方のアーム７０７ｂは、ピン７０８ａを中心として、一方のアーム７０７ａに対して先端側が接離する方向に回動可能に連結されている。
【００４１】
他方のアーム７０７ｂの他端は、連結棒７０９の一端に連結されている。連結棒７０９は、中空の棒形状をなし、主軸７０１と平行に設けられている。連結棒７０９は、絶縁材料を用いて形成され、たとえば、主軸７０１と同様に、エポキシ樹脂系強化プラスチックやポリエステル樹脂系強化プラスチックなどを用いて形成することができる。連結棒７０９の中間部には、水きりつば７１０が嵌合固定されている。他方のアーム７０７ｂの他端と連結棒７０９の一端とは、連結ピン７１１によって回動可能に連結されている。
【００４２】
連結棒７０９の他端は、操作部７０３における連結部７１２に回動可能に連結されている。連結部７１２は、操作部７０３における操作レバー７１３に固定されている。操作レバー７１３は、支持具７１４を介して主軸７０１に取り付けられている。操作レバー７１３は、支持具７１４に対して、当該支持具７１４との連結位置を中心として回動可能に取り付けられている。作業者が、操作レバー７１３を回動させるように操作すると、操作レバー７１３の動作に連動して連結棒７０９が主軸に対してスライドする方向に沿って変位し、これにともなって他方のアーム７０７ｂが一方のアーム７０７ａに対して先端側が接離するように回動する。
【００４３】
操作レバー７１３は、図示を省略する付勢部材によって、支持具７１４とは反対側の端部が主軸７０１から離間する方向へ付勢されている。操作レバー７１３は、たとえば、アルミニウム合金を用いて形成することができる。
【００４４】
一対のアーム７０７ａ、７０７ｂの先端部には、互いに対向している部分に、それぞれ、把持面が形成されている。把持部７０２は、アーム７０７ａ、７０７ｂの先端側を互いに接近させ、把持面の間に被把持物を挟むことによって、被把持物を把持する。把持面の表面全体には、滑り止め加工が施されている。滑り止め加工は、たとえば、把持面に複数の細溝を設けることによって実現することができる。一対のアーム７０７ａ、７０７ｂにおける側面には、それぞれ、凹部８０１が設けられている。
【００４５】
（照明補助具１００を用いた作業方法）
つぎに、この発明にかかる実施の形態の照明補助具１００を用いた作業方法について説明する。図１０、図１１および図１２は、この発明にかかる実施の形態の照明補助具１００を用いた作業の一例を示す説明図である。照明補助具１００を用いた作業に際しては、まず、上述したヤットコ７００に照明補助具１００を取り付ける。
【００４６】
具体的には、略「コ」の字形状をなす基材４０１を備えた固定部１３０を用いる場合、照明補助具１００は、ヤットコ７００の把持部７０２における凹部８０１に固定して使用する。具体的には、照明補助具１００は、基材４０１によってヤットコ７００のいずれかのアーム７０７ａまたは７０７ｂを挟んだ状態で、ボルトを締めることによってヤットコ７００の把持部７０２に固定することができる（図１０を参照）。
【００４７】
また、具体的には、略環形状をなす基材５０２を備えた固定部５０１を用いる場合、照明補助具１００は、ヤットコ７００の主軸７０１における先端部分９０１に固定して使用することができる。より具体的には、固定部５０１における基材５０２を先端部分９０１に抱きつかせるように押し付けることにより、固定部５０１を用いる照明補助具１００を先端部分９０１に取り付けることができる。
【００４８】
つぎに、骨組部材１２１を曲げ撓めて、シート状の部材１１１の形状を調整する（図１１を参照）。骨組部材１２１は、たとえば、シート状の部材１１１が把持部側を覆うドーム状に湾曲するように曲げ撓める。骨組部材１２１は、シート状の部材１１１における中央部が作業者から離間した状態で湾曲するように曲げ撓める。
【００４９】
このようにシート状の部材１１１の形状を調整した状態で、ヤットコ７００を用いた間接活線作業をおこなう。間接活線作業に際しては、従来と同様に、投光器、キャップランプ、懐中電灯などの照明具を用いて、作業対象箇所（図１２における符号１２００を参照）を照らす。具体的には、たとえば、変圧器の取り替えに際して高圧引下線を接続する作業をおこなう場合であれば、接続対象とする電線の先端部分や接続に用いるスリーブの先端部分を照らす。
【００５０】
照明具が発した光のうち、作業対象箇所１２００を直接照らさず当該作業対象箇所１２００を通過した光は、シート状の部材１１１によって反射される。このとき、シート状の部材１１１の形状を、把持部７０２側を覆うドーム状に湾曲するように調整しておくことにより、シート状の部材１１１によって反射された光を把持部あるいは把持部の周辺に集光し、作業者から見て、作業対象箇所１２００の裏側から作業対象箇所１２００を照らすことができる。
【００５１】
これにより、照明器具が発した直接光によって作業対象箇所１２００を表側から照らすとともに、照明補助具１００によって反射された光によって作業対象箇所１２００を裏側から照らすことができる。このように、照明補助具１００を用いることにより、照明具が発した光を有効に利用し、作業対象箇所１２００を表裏から照らすことができ、作業対象箇所１２００における明るさを確保することができる。そして、これにより、作業対象箇所１２００を正確に確認し、作業を確実におこなうことができる。
【００５２】
図１３は、この発明にかかる実施の形態の照明補助具１００の別の一例を示す説明図である。骨組部材１２１は、ポケット状の支持部２０１に限るものではない。図１３に示すように、両端が閉塞された筒状の支持部１３０１によって実現してもよい。これにより
【００５３】
以上説明したように、この発明にかかる実施の形態の照明補助具１００は、加えられた外力に応じた形状に変形する柔軟性を備えた材料を用いて形成された骨組部１２０と、骨組部１２０に支持されてシート形状をなす照明補助部１１０と、骨組部１２０を、取り付け対象とする間接活線工具（たとえばヤットコ７００）の一部に固定する固定部１３０（５０１）と、を備えたことを特徴としている。
【００５４】
この発明にかかる実施の形態の照明補助具１００によれば、固定部１３０あるいは固定部５０１を介して、骨組部１２０および照明補助具１００を間接活線工具（たとえばヤットコ７００）に取り付けることができる。
【００５５】
その後、骨組部材１２１を曲げ撓めて、シート状の部材１１１の形状を調整するだけで、作業対象箇所１２００の正面側および裏側から光を当てることができ、作業対象箇所１２００における明るさを確保することができる。そして、これにより、この発明にかかる実施の形態の照明補助具１００によれば、作業対象箇所１２００を正確に確認し、作業を確実におこなうことができる。
【００５６】
また、この発明にかかる実施の形態の照明補助具１００は、骨組部１２０が、硬銅を焼き鈍しした軟銅によって形成された複数（たとえば３本）の棒状部材を実現する骨組部材１２１であることを特徴としている。
【００５７】
この発明にかかる実施の形態の照明補助具１００によれば、骨組部材１２１を任意の形状に曲げ撓めることができ、作業対象箇所１２００における明るさを一層確実に確保することができる。これにより、この発明にかかる実施の形態の照明補助具１００によれば、作業対象箇所１２００を正確に確認し、作業を確実におこなうことができる。
【００５８】
また、この発明にかかる実施の形態の照明補助具１００は、照明補助部１１０が、少なくとも一部がメッシュ構造をなすシート状の部材であることを特徴としている。
【００５９】
この発明にかかる実施の形態の照明補助具１００によれば、照明補助具１００の軽量化を図り、間接活線工具の先端に照明補助具１００を取り付けることによる作業者の負担軽減を図ることができる。また、メッシュ構造とすることにより、昼間の作業において照明補助具１００を使用した場合に、照明補助具１００によって作業対象箇所１２００が暗くなることを防止できる。これにより、昼夜にかかわらず、作業対象箇所１２００を容易かつ正確に把握することができる。
【００６０】
また、この発明にかかる実施の形態の照明補助具１００は、照明補助部１１０が、白色のシート状の部材であることを特徴としている。
【００６１】
この発明にかかる実施の形態の照明補助具１００によれば、シート状の部材１１１を白色とすることにより、作業対象箇所１２００と、背景となる照明補助具１００との境界を明確にすることができ、作業対象箇所１２００の確認をより正確におこなうことができる。これにより、昼間の作業と同様に、作業対象箇所１２００を容易かつ正確に把握することができ、間接活線作業を安全かつ確実におこなうことができる。
【００６２】
また、この発明にかかる実施の形態の照明補助具１００は、固定部１３０（５０１）が、骨組部１２０に対して着脱可能であることを特徴としている。
【００６３】
この発明にかかる実施の形態の照明補助具１００によれば、骨組部材１２１に対して固定部１３０を着脱可能とすることにより、作業現場に適した固定部１３０を用いて照明補助具１００を間接活線工具（たとえばヤットコ７００）に取り付けることができる。これにより、作業者や作業環境に適した、使いやすい照明補助具１００を提供することができる。
【産業上の利用可能性】
【００６４】
以上のように、この発明にかかる照明補助具は、屋外作業などに用いる照明補助具に有用であり、特に、夜間の屋外作業などに用いる照明補助具に適している。
【符号の説明】
【００６５】
１００  照明補助具
１１０  照明補助部
１２０  骨組部
１２１  骨組部材
１３０  固定部
４０１  基材
４０１ａ、４０１ｂ、４０１ｃ  平面
４０２  ねじ穴
４０３  ボルト
４０４  突出部
４０５  雄ねじ
５０１  固定部
７００  ヤットコ
【図１】
0006443075.tif 000002
【図２】
0006443075.tif 000003
【図３】
0006443075.tif 000004
【図４】
0006443075.tif 000005
【図５】
0006443075.tif 000006
【図６】
0006443075.tif 000007
【図７】
0006443075.tif 000008
【図８】
0006443075.tif 000009
【図９】
0006443075.tif 000010
【図１０】
0006443075.tif 000011
【図１１】
0006443075.tif 000012
【図１２】
0006443075.tif 000013
【図１３】
0006443075.tif 000014